(57)【要約】【課題】  記録装置から離れた位置であっても、ユーザが操作部の表示部を視ながら画像データを選択し、記録装置に記録を実行させることができる記録装置を提供すること。【解決手段】  被記録媒体に対して記録を実行する記録部１４３と、該記録部１４３を制御する制御部（２６２）と、ユーザが記録装置１００に対して操作を行う操作部２７０のうち、画像データを表示する表示部３０２を有し、前記制御部（２６２）に対して記録に関する条件設定を操作する記録条件設定操作部（３００）と、を備えた記録装置１００であって、該記録条件設定操作部（３００）は、前記記録装置本体（２５０）に対して着脱可能であることを特徴とする。【選択図】図２
2008260185.tif 000002
【特許請求の範囲】
【請求項１】
被記録媒体に対して記録を実行する記録部と、
該記録部を制御する制御部と、
ユーザが記録装置に対して操作を行う操作部のうち、
画像データを表示する表示部を有し、前記制御部に対して記録に関する条件設定を操作する記録条件設定操作部と、を備えた記録装置であって、
該記録条件設定操作部は、前記記録装置本体に対して着脱可能である記録装置。
【請求項２】
請求項１に記載の記録装置において、前記記録条件設定操作部は、外部からの画像の電子データを入力可能な電子データ入力部を有する記録装置。
【請求項３】
請求項２に記載の記録装置において、前記記録装置本体は、第１無線通信部を有し、
前記記録条件設定操作部は、第２無線通信部を有し、
前記第１無線通信部と前記第２無線通信部との間で、無線通信可能である記録装置。
【請求項４】
請求項２または３に記載の記録装置において、前記記録条件設定操作部は、前記電子データを記憶する記憶部を有する記録装置。
【請求項５】
請求項４に記載の記録装置において、前記記録条件設定操作部は、前記記憶部に記憶された画像データの形式を、前記第２無線通信部から前記第１無線通信部へ送信する前に、前記記録部によって記録可能な記録用データ形式に変換するデータ処理部を有する記録装置。
【請求項６】
請求項１乃至５のいずれか１項に記載の記録装置において、前記記録条件設定操作部は、タッチペンによって前記表示部と接触して入力する構成である記録装置。
【請求項７】
請求項１乃至６のいずれか１項に記載の記録装置において、前記記録条件設定操作部および前記記録装置本体は、互いに電磁的または電気的に接続可能な電力供給接続部を有する記録装置。
【請求項８】
被液体噴射媒体に対して液体噴射を実行する液体噴射部と、
該液体噴射部を制御する制御部と、
ユーザが液体噴射装置に対して操作を行う操作部のうち、
画像データを表示する表示部を有し、前記制御部に対して前記液体噴射に関する条件設定を操作する液体噴射条件設定操作部と、を備えた液体噴射装置であって、
該液体噴射条件設定操作部は、前記液体噴射装置本体に対して着脱可能である液体噴射装置。
【発明の詳細な説明】
【技術分野】
【０００１】
本発明は、被記録媒体に対して記録を実行する記録部と、該記録部を制御する制御部と、ユーザが記録装置に対して操作を行う操作部のうち、画像データを表示する表示部を有し、前記制御部に対して記録に関する条件設定を操作する記録条件設定操作部と、を備えた記録装置および液体噴射装置に関する。
【０００２】
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。また、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。  
また、記録装置には、インクジェットプリンタ、ワイヤドットプリンタ、レーザープリンタ、ラインプリンタ、複写機、ファクシミリ等の種類が含まれるものとする。
【背景技術】
【０００３】
従来では、特許文献１に示す如く、液体噴射装置の一例である記録装置には、被記録媒体への記録実行に関することおよび記録ヘッドのクリーニング等の前記記録実行以外に関することについて該記録装置を操作する操作部と、記録条件の設定の状態、記録可能な画像データ等を表示する表示部とが、前記記録装置と一体に設けられていた。従って、ユーザは、前記記録装置が設置された場所において、前記表示部を視ながら前記操作部を操作し、設定等を変更することができる。また、ユーザは、前記表示部を視ながら前記操作部を操作し画像データを選択し、前記記録装置に記録を実行させることができる。
【特許文献１】特開２００５−２１６６０９号公報
【発明の開示】
【発明が解決しようとする課題】
【０００４】
しかしながら、前記操作部を操作して前記表示部に表示された画像データを選択して前記記録装置に記録を実行させる際、ユーザは、前記記録装置が設置された場所に行って前記操作部を操作する必要がある。即ち、ユーザがいる場所が、前記記録装置が設置された場所までが離れていた場合、ユーザが移動しなければ、前記操作部を介して前記記録装置に記録を実行させることができない。
【０００５】
本発明は、このような状況に鑑み成されたものであり、その課題は、記録装置から離れた位置であっても、ユーザが操作部の表示部を視ながら画像データを選択し、記録装置に記録を実行させることができる記録装置および液体噴射装置を提供することである。
【課題を解決するための手段】
【０００６】
上記課題を達成するため、本発明の第１の態様の記録装置は、被記録媒体に対して記録を実行する記録部と、該記録部を制御する制御部と、ユーザが記録装置に対して操作を行う操作部のうち、画像データを表示する表示部を有し、前記制御部に対して記録に関する条件設定を操作する記録条件設定操作部と、を備えた記録装置であって、該記録条件設定操作部は、前記記録装置本体に対して着脱可能であることを特徴とする。
【０００７】
本発明の第１の態様によれば、前記記録条件設定操作部は、前記記録装置本体に対して着脱可能である。従って、ユーザは、前記記録装置本体から離れた位置において、前記記録条件設定操作部を用いて前記表示部を視ながら前記記録装置を遠隔操作することができる。そして、ユーザは、前記表示部に表示された画像データを選択し、前記記録装置に記録を実行させることができる。その結果、利便性がよい。  
例えば、リビングルームにおいて、ユーザがソファーに座りながら記録する画像を前記表示部で選択し、前記記録条件設定操作部で前記記録装置を操作し、前記記録装置に記録を実行させることが可能である。
【０００８】
本発明の第２の態様は、第１の態様において、前記記録条件設定操作部は、外部からの画像の電子データを入力可能な電子データ入力部を有することを特徴とする。  
本発明の第２の態様によれば、第１の態様と同様の作用効果に加え、前記記録条件設定操作部は、外部からの画像の電子データを入力可能な電子データ入力部を有する。従って、例えば、ＵＳＢ（Universal Serial Bus）メモリ、スマートメディア等に記憶された電子データを前記表示部に表示させることができる。また、デジタルカメラと前記記録装置とをＵＳＢケーブルで接続し、デジタルカメラ内部に記憶された電子データを前記表示部に表示させることもできる。即ち、電子データを画像表示する所謂、ビューワの役割を、記録装置の一部である前記記録条件設定操作部が、果たすことができる。  
尚、前記画像は、動画でも静止画でもよい。
【０００９】
本発明の第３の態様は、第２の態様において、前記記録装置本体は、第１無線通信部を有し、前記記録条件設定操作部は、第２無線通信部を有し、前記第１無線通信部と前記第２無線通信部との間で、無線通信可能であることを特徴とする。  
本発明の第３の態様によれば、第２の態様と同様の作用効果に加え、前記第１無線通信部と前記第２無線通信部との間で、無線通信可能である。従って、ユーザは、前記記録条件設定操作部のみを持ち出すことができる。また、前記電子データ入力部から入力された電子データを、前記記録装置本体へ送信することが可能である。その結果、ユーザは、送信した画像データを前記記録装置に記録させることができる。
【００１０】
本発明の第４の態様は、第２または第３の態様において、前記記録条件設定操作部は、画像データを記憶する記憶部を有することを特徴とする。  
本発明の第４の態様によれば、第２または第３の態様と同様の作用効果に加え、前記記録条件設定操作部は、画像データを記憶する記憶部を有する。従って、前記電子データ入力部から入力された電子データを前記記憶部に記憶することができる。即ち、画像の電子データを貯蓄する所謂、フォト・ストレージの役割を、記録装置の一部である前記記録条件設定操作部が、果たすことができる。
【００１１】
例えば、前記記録装置本体を室内の残し、前記記録条件設定操作部を持って外出することができる。そして、外出先において、デジタルカメラで撮影した電子データを、前記電子データ入力部を介して取り込んで前記記憶部に記憶することができる。その後、ユーザが前記記録条件設定操作部を前記室内に持ち帰り、ソファーに座りながら前記表示部に表示された電子データから好みの画像を選択し、離れた位置に設置された記録装置本体部に記録を実行させることが可能である。
【００１２】
本発明の第５の態様は、第４の態様において、前記記録条件設定操作部は、前記記憶部に記憶された画像データの形式を、前記第２無線通信部から前記第１無線通信部へ送信する前に、前記記録部によって記録可能な記録用データ形式に変換するデータ処理部を有することを特徴とする。  
本発明の第５の態様によれば、第４の態様と同様の作用効果に加え、前記記録条件設定操作部は、前記データ処理部を有する。従って、前記記録条件設定操作部から前記記録装置本体への送信が完了してから、前記記録装置本体における被記録媒体への記録が完了までの時間を、記録装置本体部において画像データの形式を記録用データ形式に変換した場合と比較して、短くできる。
【００１３】
その結果、ユーザの操作に対するレスポンスを高めることができる、即ち、ユーザのストレスフリー性を高めることができる。  
ここで、「記録用データ形式」とは、記録装置毎に異なるものであって、記録部で使用されるデータ形式をいう。また、「記録用データ形式」は、表示部に表示させる表示用データ形式とは異なるものである。
【００１４】
本発明の第６の態様は、第１から第５のいずれか一の態様において、前記記録条件設定操作部は、タッチペンによって前記表示部と接触して入力する構成であることを特徴とする。  
本発明の第６の態様によれば、第１から第５のいずれか一の態様と同様の作用効果に加え、前記記録条件設定操作部は、タッチペンによって前記表示部と接触して入力する構成である。従って、ユーザにとって使い勝手がよい。
【００１５】
例えば、ユーザが前記タッチペンを用いて、表示部に表示された画像に手書きをして画像に加工を加えることができる。また、ユーザは、前記タッチペンを用いて、前記表示部上に表示されたボタンを操作することができる。係る場合、前記記録条件設定操作部の電源スイッチボタン以外の操作ボタンを、前記表示部に表示させることができる。その結果、簡素化、コストダウンを実現することができる。
【００１６】
本発明の第７の態様は、第１から第６のいずれか一の態様において、前記記録条件設定操作部および前記記録装置本体は、互いに電磁的または電気的に接続可能な電力供給接続部を有することを特徴とする。  
本発明の第７の態様によれば、第１から第６のいずれか一の態様と同様の作用効果に加え、前記記録条件設定操作部および前記記録装置本体は、互いに電磁的または電気的に接続可能な電力供給接続部を有する。従って、前記記録条件設定操作部が前記記録装置本体に戻されて一体化することで、前記記録装置本体側から前記記録条件設定操作部に電力を供給することができる。また、前記記録条件設定操作部が充電電池を備える場合、充電することが可能である。
【００１７】
本発明の第８の態様の液体噴射装置は、被液体噴射媒体に対して液体噴射を実行する液体噴射部と、該液体噴射部を制御する制御部と、ユーザが液体噴射装置に対して操作を行う操作部のうち、画像データを表示する表示部を有し、前記制御部に対して前記液体噴射に関する条件設定を操作する液体噴射条件設定操作部と、を備えた液体噴射装置であって、該液体噴射条件設定操作部は、前記液体噴射装置本体に対して着脱可能であることを特徴とする。
【発明を実施するための最良の形態】
【００１８】
以下、本発明の実施の形態を図面に基づいて説明する。  
図１および図２に示すのは、本発明に係る液体噴射装置の一例である記録装置を示す全体斜視図である。このうち、図１は後述する第２操作部が記録装置本体部に取り付けられた状態である。一方、図２は第２操作部が記録装置本体部から取り外された状態である。  
図１および図２に示す如く、記録装置１００は、取っ手部２５２を備えている。従って、ユーザは、取っ手部２５２を持って記録装置１００を持ち運ぶことができる。そして、ユーザは、水平で平坦なところに記録装置１００を載置する。
【００１９】
また、記録装置１００は、上面に開閉可能なパネルカバー蓋部２５１を備えている。取っ手部２５２を下げた後にパネルカバー蓋部２５１を開くと、第１操作部２５７および第２操作部３００から構成される操作部２７０と、後述する給送部１４４とが現れる。  
第１操作部２５７は、記録装置本体部２５０自体を起動するための第１電源ボタン２５８を有する。  
また、記録装置前面の排出トレイを押すと、記録装置本体に内蔵されたハートカム（図示せず）が作用し、図１および図２に示す如く、前方に排出トレイ２５６が開くように設けられている。排出トレイ２５６が開くと、排出開口部２５５が現れる。そして、記録が実行された用紙が、排出開口部２５５から排出されるように設けられている。このとき、排出された用紙は、排出トレイ２５６に載置される。  
また、記録装置１００の背面側には、背面側蓋部２５３が設けられている。記録装置１００は、背面側蓋部２５３を開くことによって、インクカートリッジの着脱を行うことができるように設けられている。
【００２０】
一方、第２操作部３００は、図２に示す如く、記録装置本体部２５０から取り外し可能に構成されている。そして、第２操作部３００は、第２操作部自体を起動するための図示しない第２電源ボタンと、液晶ディスプレイである表示部３０２と、第２接触端子３０４（図５参照）と、一対の軸係合部（図示せず）と、第２電源部３１１（図５参照）と、メモリスロット３１０（図５参照）と、ＵＳＢ端子部３０９（図５参照）と、記憶部３０６（図５参照）と、データ処理部３０７（図５参照）と、第２無線送受信部３０８（図５参照）と、を備えている。
【００２１】
このうち、第２接触端子３０４は、第２操作部３００が記録装置本体部２５０に取り付けられた状態において、記録装置本体部側の第１接触端子２５９（図５参照）と接触可能に設けられている。そして、第２接触端子３０４は、記録装置本体部側と電気的に接続し、第２操作部側の第２電源部３１１を充電することが可能に設けられている。  
ここで、第２接触端子３０４は、電気的に接続するように構成したが、電磁的に接続するように構成してもよいのは勿論である。
【００２２】
また、前記一対の軸係合部は、記録装置本体側に設けられた一対の支軸部３０１、３０１と係合可能に設けられている。そして、第２操作部３００は、パネルカバー蓋部２５１を開いた状態、かつ、第２操作部３００が記録装置本体部２５０に取り付けられた状態において、支軸部３０１、３０１を支点に上下方向に向きを変える所謂、チルト機構を有している。  
従って、ユーザにとって表示部３０２に表示された画像が見易い角度に調整することができる。
【００２３】
第２操作部３００に設けられたメモリカードスロットとしてのメモリスロット３１０は、上段スロットと下段スロットとから構成されている。上段スロットは、メモリ媒体の一例であるxD-Picture Card、メモリースティック、マルチメディアカード、SD メモリーカード、およびこれらの小型版はカード専用のアダプタにセットされたものがセット可能に設けられている。一方、下段スロットは、メモリ媒体の一例であるコンパクトフラッシュ（サンディスク  コーポレイションの登録商標）、マイクロドライブがセット可能に設けられている。
【００２４】
従って、メモリスロット３１０は、これらのメモリ媒体に記憶された画像の電子データを第２操作部３００に取り込むことができる。  
同様に、ＵＳＢ端子部３０９は、例えば、デジタルカメラ等から画像の電子データを第２操作部３００に取り込むことができる。  
そして、第２操作部３００は、取り込んだ画像の電子データを記憶部３０６に記憶することができる。また、記憶した画像の電子データを表示部３０２に表示させることができる。即ち、ユーザは、第２操作部３００を所謂、ビューワとして使用することができる。
【００２５】
また、表示部３０２は、タッチペン対応に構成されている。さらに、ユーザは、表示部３０２に表示された画像の電子データをタッチペンで選択し、表示部３０２に表示されたボタンによって種種の設定操作をすることができるように構成されている。  
ここで、ユーザが指で表示部３０２にタッチして操作することができるように構成してもよいのは勿論である。  
ユーザが表示部３０２において、選択した画像の記録を実行すると、データ処理部３０７において記録用データ形式に変換される。そして、変換された記録用データは、第２無線送受信部３０８から記録装置本体部側の第１無線送受信部２６０へ送られる。  
第１無線送受信部２６０が受信した記録用データは、第１制御部２６２へ送られる。そして、後述する記録部１４３（図３および図４参照）によって記録が開始される。その後、記録された用紙が、排出開口部２５５から排出される。
【００２６】
続いて、記録装置内部について、説明する。  
図３に示すのは、本発明に係る記録装置内部の概略を示す全体斜視図である。また、図４に示すのは、本発明に係る記録装置内部の概略を示す全体平面図である。  
記録装置１００の本体の背面側には、被記録媒体としての用紙が載置されるホッパ１０１が、上方を支点に揺動可能に設けられている。ホッパ１０１の最上位に載置された用紙は、給送部１４４によって、搬送方向下流側である記録部側へ給送される。
【００２７】
具体的には、載置された用紙は、給送用モータ１０４によって駆動する給送ローラ（図示せず）によりピックアップされる。そして、用紙ガイド１０３に案内されながら搬送方向の下流側の搬送ローラ（図示せず）へと給送される。搬送ローラまで給送された用紙は、搬送用モータ（図示せず）によって駆動する搬送ローラにより、さらに搬送方向の下流側の記録部１４３へと搬送される。
【００２８】
記録部１４３は、用紙を下方から支持するプラテン１０５と、プラテン１０５の上方側に対向するように設けられたキャリッジ１０７とによって構成される。そのうち、キャリッジ１０７は、主走査方向へ延びたキャリッジガイド軸（図示せず）に案内されながらキャリッジモータ１０２によって駆動する。さらに、キャリッジ１０７の底面部には、用紙へ向かってインクを吐出する記録ヘッド１０６が設けられている。記録部１４３で記録された用紙は、さらに下流側へと搬送される。そして、排出部２５４に設けられた排紙ローラ（図示せず）によって記録装置１００の正面側の排出開口部２５５（図１および図２参照）から排出される。尚、排出部２５４は、排出トレイ２５６（図１および図２参照）、排紙ローラ、および排出開口部２５５を有する。
【００２９】
また、記録装置１００の本体下方の着脱装置２０１には、インクカートリッジ（図示せず）が装填され、インク供給針（図示せず）を介してインク供給路（図示せず）へとインクが供給される。さらに、インク供給チューブ１１０を介してキャリッジ１０７の記録ヘッド１０６まで供給される。そして、記録ヘッド１０６のフラッシング時、およびクリーニング時には、１桁側に設けられ、記録部１４３の吐出特性を維持する吐出特性維持部としてのインク吸引装置２００においてインクの吐出・吸引動作が行われる。インク吸引装置２００は、キャップ部２１３を備え、キャップ部２１３を上下方向へ移動させて記録ヘッド１０６を封止することができるように構成されている。
【００３０】
図５に示すのは、本願発明に係る記録装置のブロック図である。  
図５に示す如く、記録装置１００は、記録装置本体部２５０と、記録装置本体部２５０と着脱可能な第２操作部３００とから構成されている。記録装置本体部２５０の第１制御部２６２は、第１電源部２６１から電力が供給され、給送部１４４、記録部１４３、排出部２５４、インク吸引装置２００（図３および図４参照）等を制御することができるように構成されている。また、第１操作部２５７は、ユーザが第１操作部２５７を介して第１制御部２６２に信号を送ることができるように設けられている。具体的には、記録装置本体部２５０を起動するための信号である。即ち、第１操作部２５７は、電源ボタン２５８である。第１操作部２５７は、単なる機械式のスイッチであってもよい。
【００３１】
また、第１無線送受信部２６０は、第１制御部２６２からの信号を、第２操作部側の第２無線送受信部３０８へ送信可能に、さらに、第２無線送受信部３０８からの信号を、第１制御部２６２へ送ることができるように構成されている。  
またさらに、第１接触端子２５９は、第２操作部３００が記録装置本体部２５０に取り付けられた状態（図１参照）においては、第２接触端子３０４と接触し、第１制御部２６２を介した第１電源部２６１の電力を第２操作部側へ供給することができるように設けられている。
【００３２】
一方、第２操作部３００は、外部の電子データを取り込むことができるメモリスロット３１０およびＵＳＢ端子部３０９を有している。取り込まれた電子データは、第２制御部３０５の記憶部３０６において記憶することが可能である。また、表示部３０２は、取り込まれた電子データ、または記憶部３０６に記憶された電子データを、表示することができるように構成されている。またさらに、表示部３０２は、画像の電子データを表示するだけでなく、タッチペンによってユーザの指示を入力することができるように構成されている。即ち、表示部３０２は、ユーザの指示を入力する入力部３０３を有する。
【００３３】
第２操作部３００は、第２接触端子３０４を介して記録装置本体部側から供給される電力、および第２電源部３１１の電力によって起動するように構成されている。具体的には、第２操作部３００が記録装置本体部側に取り付けられた状態では、第２操作部３００は、第１電源部２６１から供給される電力によって起動するように構成されている。一方、第２操作部３００が記録装置本体部２５０から取り外された状態では、第２操作部３００は、第２電源部３１１の電力によって起動するように構成されている。  
ここで、第２電源部３１１は、充電可能な充電池であることが望ましい。第２操作部３００が記録装置本体部側に取り付けられた状態で、第１電源部２６１からの電力を第２電源部３１１に蓄えることができる。
【００３４】
また、第２制御部３０５のデータ処理部３０７は、第２操作部３００において記録指示があった画像の電子データの形式を記録装置１００の記録部１４３に対応する記録用データ形式に変換することができるように設けられている。変換された記録用データは、第２無線送受信部３０８から記録装置本体部側の第１無線送受信部２６０へ送られる。そして、第１制御部２６２の制御のもとで記録が実行される。
【００３５】
続いて、具体的な第２操作部３００の使い方について説明する。  
ユーザは、記録装置１００が設置された室内で、記録装置１００が設置された位置まで行く。そして、ユーザは、記録装置本体部２５０に取り付けられた第２操作部３００を、記録装置本体部２５０から取り外すことができる。次に、第２操作部３００のみを持って移動し、室内の記録装置本体部２５０から離れた位置に置かれた例えばソファーに座る。そして、ソファーに座りながら、デジタルカメラで撮影した画像の電子データを、メモリスロット３１０またはＵＳＢ端子部３０９を介して取り込み、記憶部３０６に記憶させることができる。
【００３６】
このとき、ユーザは、表示部３０２を視ながら操作する。そして、表示部３０２に表示された「上矢印」ボタン、「下矢印」ボタン、「左矢印」ボタン、「右矢印」ボタンで、同じく表示部３０２に表示された電子データの画像を選択する。次に、表示部３０２に表示された「ＯＫ」ボタンと、「左ガイド選択」ボタンとで記録枚数を設定する。「ＯＫ」ボタンで記録枚数を増やすことができ、一方、「左ガイド選択」ボタンで記録枚数を減らすことができる。
【００３７】
続いて、記録プレビューを確認する。具体的には、表示部３０２に表示された「右ガイド選択」ボタンを押すと、表示部３０２に記録プレビュー画面が表示される。従って、ユーザは記録プレビュー画面を確認することができる。複数の画像を記録するときは、「左矢印」ボタンまたは「右矢印」ボタンで各画像のプレビューを確認することができる。  
そして、記録を実行する。具体的には、表示部３０２に表示された「印刷」ボタンを押して記録を実行する。すると、選択された画像の電子データは、データ処理部３０７において記録用データに変換される。そして、記録用データは、第２無線送受信部３０８から第１無線送受信部２６０へ送信され、第１制御部２６２の制御によって記録が実行される。  
ここで、記録を中止したいときは、記録中に表示部３０２に表示された「キャンセル」ボタンを押すと記録途中であっても中止し、用紙が排出開口部２５５から排出される。
【００３８】
また、第２操作部３００において、記録する用紙とレイアウトの設定の変更をすることができる。  
先ず、表示部３０２に表示された「メニュー」ボタンで、表示部３０２にメニュー画面を表示させる。そして、表示部３０２に表示された「上矢印」ボタンおよび「下矢印」ボタンで「用紙／レイアウト」の項目を選択する。次に、表示部３０２に表示された「右ガイド選択」ボタンで決定する。
【００３９】
用紙サイズ・種類を選択する場合は、表示部３０２に表示された「上矢印」ボタンおよび「下矢印」ボタンで「用紙／レイアウト」の項目の下層の「用紙サイズ・種類」を選択する。そして、表示部３０２に表示された「右ガイド選択」ボタンで決定する。  
レイアウトを選択する場合は、表示部３０２に表示された「上矢印」ボタンおよび「下矢印」ボタンで「用紙／レイアウト」の項目の下層の「レイアウト」を選択する。そして、表示部３０２に表示された「右ガイド選択」ボタンで決定する。
【００４０】
また、表示部３０２に表示されたメニュー画面の項目には、上記の他に、「写真選択」、「編集」、「フレーム」、「外部機器に保存」、「メンテナンス」、「セットアップ」等がある。  
このうち、「写真選択」の項目の下層には、「すべて選択」、「日付別で選択」、「範囲選択」、「スライドショー選択」および「読込元選択」がある。「すべて選択」を選択すると、第２操作部３００が読み込んでいるすべての画像（写真）を選択することができる。「日付別で選択」を選択すると、特定の撮影日から画像（写真）を選択することができる。
【００４１】
「範囲選択」を選択すると、第２操作部３００が読み込んでいる複数の画像（写真）のうち、記録する画像（写真）の範囲（２〜５コマ目など）を指定して選択することができる。「スライドショー選択」を選択すると、第２操作部３００が読み込んでいる複数の画像（写真）を一定時間の間隔で順次表示部３０２に表示することができる。そして、記録したい画像（写真）が表示されたときに記録枚数を設定することができるように構成されている。
【００４２】
「読込元選択」を選択すると、どの機器（ＵＳＢ端子部３０９を介して接続されている機器またはメモリスロット３１０に挿入されたメモリ媒体）から画像（写真）を第２操作部３００に読み込むかを選択することができる。  
尚、記録装置本体部２５０と接続されたパソコンから画像の電子データが記録装置本体部２５０へ送られた場合、第２操作部３００は、第１無線送受信部２６０および第２無線送受信部３０８を介して、該画像の電子データを読み込むことができるように構成されているものとする。
【００４３】
また、「編集」の項目の下層には、「ズームアップ」、「自動画質補正」、「画質調整」、「赤目補正」、「飾り」および「画像回転」の項目がある。「ズームアップ」を選択すると、表示部３０２に表示された画像（写真）の一部をズームアップして記録を実行することができる。「自動画質補正」を選択すると、画像（写真）を画像の内容に合わせて最適な色合いに自動補正して記録を実行することができる。「画質調整」を選択すると、「カラー設定」、「明るさ」、「鮮やかさ」および「シャープネス」の項目が表示される。そして、それぞれの項目を調整して記録を実行することができる。
【００４４】
「赤目補正」を選択すると、赤目になっている画像（写真）を補正して記録を実行することができる。「飾り」を選択すると、さらに下層の項目「飾り付け」および「飾り付け解除」が表示される。「飾り付け」を選択すると、画像（写真）にいろいろな飾りを合成して記録を実行することができる。このとき、タッチペンで手書き風に加工をアレンジすることができるのは勿論である。「飾り付け解除」を選択すると、画像（写真）と飾りとの合成を解除することができる。「画像回転」を選択すると、画像（写真）を回転して表示部３０２に表示することができる。
【００４５】
また、「フレーム」の項目の下層には、「フレーム合成」、「フレーム合成解除」および「フレーム更新」の項目がある。「フレーム合成」を選択すると、画像（写真）に飾り枠である所謂、フレームを合成して記録を実行することができる。「フレーム合成解除」を選択すると、画像（写真）とフレームとの合成を解除することができる。「フレーム更新」を選択すると、メモリカード等に保存したフレームデータを記憶部３０６に追加することができる。
【００４６】
また、「外部機器に保存」の項目の下層には、「すべての写真」および「選択した写真」の項目がある。「すべての写真」を選択すると、記憶部３０６に記憶されたすべての画像（写真）を外部記憶装置に保存することができる。「選択した写真」を選択すると、「写真選択」の画面で選択した画像（写真）を外部記憶装置に保存することができる。
【００４７】
また、「メンテナンス」の項目の下層には、「ノズルチェック」、「ヘッドクリーニング」、「ギャップ調整」、「インク残量確認」および「クリーニングシート通紙」の項目がある。「ノズルチェック」を選択すると、記録ヘッド１０６（図３および図４参照）のノズルの目詰まり確認するためのパターンの記録を実行することができる。「ヘッドクリーニング」を選択すると、インク吸引装置２００（図３および図４参照）を動作させることができる。
【００４８】
「ギャップ調整」を選択すると、記録品質を高めるように記録ヘッド１０６とプラテン１０５（図３および図４参照）との間の距離であるギャップを調整することができる。「インク残量確認」を選択すると、表示部３０２にインク残量が表示させることができる。「クリーニングシート通紙」を選択すると、クリーングシートの通紙を実行することができる。
【００４９】
また、「セットアップ」の項目の下層には、「日付印刷設定」、「フチなしはみ出し量調整」、「Bluetooth」、「外部機器印刷設定」、「ビューワ設定」、「操作音設定」等の項目がある。「日付印刷設定」を選択すると、画像（写真）に日付を入れて記録を実行することができる。「フチなしはみ出し量調整」を選択すると、縁なし設定時の拡大率を調整することができる。
【００５０】
「Bluetooth」を選択すると、Bluetoothの各設定を行うことができる。「外部機器印刷設定」を選択すると、携帯電話やデジタルカメラ等から記録するときの記録設定を行うことができる。「ビューワ設定」を選択すると、表示部３０２に一度に表示する画像数を変更することができる。「操作音設定」を選択すると、バッテリである第１電源部２６１および第２電源部３１１の状態を警告する警告音を鳴らすか否かを設定することができる。エラー音、ボタン操作音についても同様である。
【００５１】
本実施形態の記録装置１００は、被記録媒体の一例である用紙に対して記録を実行する記録部１４３と、記録部１４３を制御する制御部としての第１制御部２６２と、ユーザが記録装置１００に対して操作を行う操作部２７０のうち、画像データを表示する表示部３０２を有し、第１制御部２６２に対して記録に関する条件設定を操作する記録条件設定操作部としての第２操作部３００と、を備えた記録装置１００であって、第２操作部３００は、記録装置本体である記録装置本体部２５０に対して着脱可能であることを特徴とする。
【００５２】
また、本実施形態の記録条件設定操作部としての第２操作部３００は、外部からの画像の電子データを入力可能な電子データ入力部としてのメモリスロット３１０およびＵＳＢ端子部３０９を有することを特徴とする。  
またさらに、本実施形態の記録装置１００において、記録装置本体部２５０は、第１無線通信部としての第１無線送受信部２６０を有し、第２操作部３００は、第２無線通信部としての第２無線送受信部３０８を有し、第１無線送受信部２６０と第２無線送受信部３０８との間で、無線通信可能であることを特徴とする。
【００５３】
本実施形態の第２操作部３００は、電子データを記憶する記憶部３０６を有することを特徴とする。  
また、本実施形態の第２操作部３００は、記憶部３０６に記憶された画像データの形式を、第２無線送受信部３０８から第１無線送受信部２６０へ送信する前に、記録部１４３によって記録可能な記録用データ形式に変換するデータ処理部３０７を有することを特徴とする。
【００５４】
本実施形態の記録装置１００において、第２操作部３００は、タッチペンによって表示部３０２と接触して入力する構成であることを特徴とする。  
また、本実施形態の記録装置１００において、第２操作部３００および記録装置本体部２５０は、互いに電磁的または電気的に接続可能な電力供給接続部の一例である第１接触端子２５９および第２接触端子３０４を有することを特徴とする。
【００５５】
尚、上記実施形態では、データ処理部を第２操作部側に設けたが、記録装置本体部側に設けてもよい。具体的には、第１制御部内にデータ処理部を設けてもよい。  
また、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００５６】
【図１】本願発明に係る記録装置を示す全体斜視図（第２操作部取り付け状態）。
【図２】本願発明に係る記録装置を示す全体斜視図（第２操作部取り外し状態）。
【図３】本願発明に係る記録装置内部の概略を示す全体斜視図。
【図４】本願発明に係る記録装置内部の概略を示す全体平面図。
【図５】本願発明に係る記録装置のブロック図。
【符号の説明】
【００５７】
１００  記録装置、１０１  ホッパ、１０２  キャリッジモータ、１０３  用紙ガイド、
１０４  給送用モータ、１０５  プラテン、１０６  記録ヘッド、１０７  キャリッジ、
１１０  インク供給チューブ、１４３  記録部、１４４  給送部、
２００  インク吸引装置、２０１  着脱装置、２１３  キャップ部、
２５０  記録装置本体部、２５１  パネルカバー蓋部、２５２  取っ手部、
２５３  背面側蓋部、２５４  排出部、２５５  排出開口部、２５６  排出トレイ、
２５７  第１操作部、２５８  第１電源ボタン、２５９  第１接触端子、
２６０  第１無線送受信部、２６１  第１電源部、２６２  第１制御部、
２７０  操作部、３００  第２操作部、３０１  支軸部、３０２  表示部、
３０３  入力部、３０４  第２接触端子、３０５  第２制御部、３０６  記憶部、
３０７  データ処理部、３０８  第２無線送受信部、３０９  ＵＳＢ端子部、
３１０  メモリスロット、３１１  第２電源部
【図１】
2008260185.tif 000003
【図２】
2008260185.tif 000004
【図３】
2008260185.tif 000005
【図４】
2008260185.tif 000006
【図５】
2008260185.tif 000007